(57)【特許請求の範囲】
【請求項１】
各セットが２個の延在要素からなり、該延在要素が長側において互いに対向しており、それらのセットはセットに対応する孔を有した連結板により互いに対をなして結合されており、支持体の中に環路状に配置された多数の軸孔中にセットが互いに平行に支持されており、各軸孔の深さが延在要素の長さ未満であるような型式の無端伝動チェーンの組立て方法であって、前後配置された２個の延在要素セットを、その上に連結板を配置し該連結板の孔に嵌合することにより結合し、延在要素の支持体からの突出した部分に所望の長さに亙って連結板を供給し、かくして得られた組立て体を支持体から分離することを特徴とする無端伝動チェーンの組立て方法。
【請求項２】
得られた組立て体を裏返しにして支持体に支持させ、支持させた組立て体における延在要素の連結板に結合されていない残りの部分の上に連結板を配置し、前記延在要素を連結板の孔に嵌合して結合することを特徴とする請求項１に記載の方法。
【請求項３】
一方の延在要素が他方の延在要素より常に短く、長い方の延在要素を短い方の延在要素の高さよりも下の高さに支持することを特徴とする請求項１または２に記載の方法。
【請求項４】
請求項２又は３の方法を実施する装置であって、支持体が、組み立てられるチェーンの寸法に対応する環路状の軸孔を有しており、各軸孔が前後する２個の延在要素の組合せの形状に適合する横断面と該組合せの長さ未満の深さを有しており、各軸孔は上側において２個の円周方向に延在する離間盛上がり縁部により画定されるとともに、下側において段付き凹部により閉鎖されており、長い方の延在要素は短い方の延在要素より大きな距離に亙って前記軸孔中に挿入され、かつ、前後に配置された２個の延在要素セットをその上に配置される連結板の孔に嵌合して結合するためのジョーを備えた握持ヘッドを前記環路状の軸孔の上方に具備していることを特徴とする無端伝動チェーンの組立て装置。
【請求項５】
段付き凹部が閉鎖板中に形成されており、該閉鎖板は延在要素を挿入する軸孔を有した支持体の下側に当接していることを特徴とする請求項４に記載の装置。
【発明の詳細な説明】
【技術分野】
【０００１】
この発明は無端チェーンの組立て方法と装置に関するものであり、特に２個の延在要素のセットからなる伝動チェーンの組立て方法とそれを実施する装置に関するものである。該延在要素は長側において互いに対向し、セットに対応する孔を有した連結板により対をなして互いに結合されているものである。
【背景技術】
【０００２】
通常の方法でこの種の伝動チェーンを製造するに際しては、製造される所望の長さの外周に対応する片体を長い材料から分離する。かくしてチェーンを製造する装置は複雑高価である。
【特許文献１】ヨーロッパ特許第０７４１２５５号、アメリカ特許第５７２８０２１号
【発明の開示】
【発明が解決しようとする課題】
【０００３】
この発明の目的は手動でも機械的にも実施できる無端チェーンの組立て方法とその実施装置を提供することにある。
【課題を解決するための手段】
【０００４】
このためこの発明の方法にあっては、前後配置された延在要素のセット２個をその上に連結板を配置することにより所望の形状に応じて結合し、延在要素の支持体からの突出した部分に所望の長さに亙って連結板を供給し、かくして得られた組立て体を支持体から分離することを要旨とする。
【０００５】
またこの発明の装置にあっては、支持体が組み立てられるチェーンの寸法に対応する環路状の孔を有しており、各孔が前後する２個の延在要素の組合せの形状に適合する横断面と該組合せの長さ未満の深さを有しており、各孔は上側において２個の円周方向に延在する離間盛上がり縁部により画定されるとともに、下側において段付き凹部により閉鎖されており、長い方の延在要素は短い方の延在要素より大きな距離に亙って孔中に挿入されていることを要旨とするものである。
【０００６】
この発明の方法の実施に際しては、最も短い要素が支持されている高さより下の高さに最も長い要素を支持するのが望ましい。この故に、短い方の要素の端部が完成したチェーン中の長い方の要素の端部と実質的に同じ距離に位置するという利点がある。
【発明の効果】
【０００７】
上記したような方法により、チェーンが多数の簡単なステップにより製造される。これに必要とされる器具の数は最少であり、連結板を延在要素上に限られた長さに亙って（例えばこの長さの半分だけ）配置するだけという事実が方法を簡単にしている。
【０００８】
以下図面を参照してこの発明についてより詳細に説明する。
【実施例１】
【０００９】
図１に示すこの発明の組立て装置２は基板４とそこから突出するスピンドル６とを有している。図２に詳細を示す組立て板８と閉鎖板１０とはスピンドルに対して回転可能である。さらに装置２は直立柱１２を有しており、これに沿ってアーム１６が導かれている。該アームは操作レバー１８により駆動される簡単な機構により矢印２０で示すように上下に運動できる。アーム１６の自由端にはジョー２４を具えた握持ヘッド２２が配置されており、これにより連結板４６が１セットの延在要素上に押圧される。
【００１０】
図示のように、組立て板（組立てリングでもあり得る）の外縁近くには、組立て板の外縁部３２と内縁部３４との間に配置されたそれらのセットを挿入する軸孔３０の輪がある。各軸孔は組み立てられる伝動チェーンの２個の延在要素の外形に対応する形状を有している。図３，４に詳しく示すように各軸孔は長側が互いに対向している。組立て板８の下側に配置される閉鎖板１０の上面は多数の放射状の浅い凹部３６を有しており、その幅は最も長い延在要素の厚さに対応している。
【００１１】
図３に示すように、まず閉鎖板１０がついで組立て板８がスピンドル６の周りに配置されて、互いに閉鎖板１０内の放射状凹部３６が最も長い要素が挿入される軸孔３０の下側に位置する。これは勿論簡単な方法で行える。この発明の組立て方法は特にヨーロッパ特許第０７４１２５５号およびアメリカ特許第５７２８０２１号に記載されたタイプの伝動チェーンを組み立てることを意図するものであるから、１セットの延在伝動要素４０は長いピン４２と若干短いストリップ４４からなり、長いピン４２はテーパー付きのコーンプーリーと接触して、動力を連結板４６に伝動する。そのいくつかを図４に示す。
【００１２】
ピン４２とストリップ４４との組合せは常に軸孔３０中に配置され、ピンの端部が放射状凹部３６内に嵌合するので、ピン４２はストリップより若干低く位置する。図３に示す状態において、ピンとストリップのセットの全てが組立て板中に配置されている。図４に示す状態では連結板４６がピンとストリップの上に配置され始めている段階である。これは所望の形状に応じて、手動でも機械的でも簡単に行うことができる。図示の実施例では、レバー１８の下降運動の間、ジョー２４により連結板はピンとストリップのセット上に押圧されている。図５に示す状態において、伝動チェーンは半分組み立てられており、ピンとストリップの各セットの上部は連結板により隣接するセットに結合されている。
【００１３】
かくして得られた組立て体５０は組立て板８から分離され、裏返しにされて再び組立て板８上に置かれる。これを図６に示す。外内縁部３２，３４における盛上がり形状の目的は今や明らかである。つまりこれらの間に組立て体５０から突出するピンとストリップの突端を封入するのである。この結果全体が所定の状態となる。図６にいかにして最初の連結板４６が既製の半組立て体を完成するかを示す。また図７は裏返して完成工程にセットした組立て体５０を示す。
【００１４】
図４は特にピンとストリップとの好ましい形状を示すものである。上端部のベベル５６，５８により、特にピンとストリップとが軽駆動嵌合で連結板に結合されている場合には、連結板をピンとストリップのセット上に配置するのが容易となる。
【図面の簡単な説明】
【００１５】
【図１】この発明の装置の一実施例の斜視図である。
【図２】組立て装置本体と閉鎖板を示す斜視図である。
【図３】組立て体中の延在要素の斜視図である。
【図４】図３の拡大図である。
【図５】半組立て状態のチェーンと組立て体を示す斜視図である。
【図６】半組立て状態の組立て体に掛かったチェーンの斜視図である。
【図７】完成工程にセットしたチェーンの斜視図である。
【符号の説明】
【００１６】
２ ： 組立て装置
４ ： 基板
６ ： スピンドル
８ ： 組立て板
１０： 閉鎖板
１６： アーム
１８： 操作レバー
２２： 握持ヘッド
４０： 伝動要素
４４： ストリップ
４６： 連結板
【図１】
0004664588.tif 000002
【図２】
0004664588.tif 000003
【図３】
0004664588.tif 000004
【図４】
0004664588.tif 000005
【図５】
0004664588.tif 000006
【図６】
0004664588.tif 000007
【図７】
0004664588.tif 000008